(57)【要約】      （修正有）【課題】一般携帯電話の通話通信機能とＩＰ携帯電話の通話通信機能を備える携帯端末機における通話通信利用において、現状の不安定な接続かつ不安定な通話通信状態を改善し、しかも、待機電力消費量の低い端末を提供すると共に、ＩＰ携帯電話部分を一般携帯電話の電話番号を兼用して表示し、簡単にアクセスできる機能を提供することにある。【解決手段】端末に携帯電話とＩＰ携帯電話の待機状態を交互にアクティブ状態とスリープ状態にし、待機電力消費量を制御する機能を設ける。接続及び通話通信時に、複数ルートを使用し、更に接続待ち機能を設ける。携帯電話とＩＰ携帯電話の内、使用する通話通信網の種類に関わらず、それから、通話通信相手が持つ発信者番号表示機能のついている端末の種類に関わらず、お互いの端末の携帯電話番号を表示し、しかもお互いの端末の携帯電話番号だけでアクセスできる機能を設ける。【選択図】図１
2007221736.tif 000002
【特許請求の範囲】
【請求項１】
一般携帯電話の機能と無線ＬＡＮを利用するＩＰ携帯電話の機能を一台の携帯通話通信端末に備え、待機中いずれかをアクティブ状態にし、携帯電話基地局か無線ＬＡＮのアクセスポイント（ＡＰ）と必要な情報交換を行い、残りもう一方をスリープ状態にし、一定の時間が経つと、双方の状態を切り替え、それを繰り返し、時間的に待機電力の消費量の少ない方にアクティブ状態を多めに振り分けることを特徴とするシステム。
【請求項２】
一般携帯電話の機能と無線ＬＡＮを利用するＩＰ携帯電話の機能を一台の携帯通話通信端末に備え、両通話通信ルートから優先ルートを設定する機能を設け、電話を掛ける時及び通信を始めようとする時、それから、他の端末から受信する時、優先ルートだけでなく、同時に非優先ルートも利用し、当該端末との接続を試み、優先ルートの接続が先に可能になった場合、優先ルートの接続を開始し、優先ルートより非優先ルートの接続が先に可能になった場合は、待ち状態を設け、一定時間以内、優先ルートの接続の確立を待ち、その時間が過ぎても、優先ルートの接続が確立できなければ、非優先ルートの接続を実行することを特徴とするシステム。
【請求項３】
一般携帯電話の機能と無線ＬＡＮを利用するＩＰ携帯電話の機能を一台の携帯通話通信端末に備え、どちらかの通話通信ルートを利用して通話及び通信をする時、常に他の接続可能な複数の接続ルートを探し、その中から、一番優先順位の高い、或いは一番優位な接続条件のルートで一旦仮接続をし、待ち状態を設け、現在非優先ルート利用中の場合、課金の最小単位時間が終了した時点で、優先ルートの利用に切り替え、それから、利用中のルートの接続状態が悪くなったり、接続が切れたりした場合、仮接続中のルートの待ち状態を直ちに解除し、接続を開始できることを特徴とするシステム。
【請求項４】
一般携帯電話の機能と無線ＬＡＮを利用するＩＰ携帯電話の機能を一台の携帯通話通信端末に備え、通話及び通信する際、使用する通話通信網が携帯電話網なのかＩＰ電話網なのか、その種類に関わらず、それから、通話通信相手が持つ発信者番号表示機能の付いている端末の種類に関わらず、当該通話通信端末から発信する場合、着信相手の端末に発信側の携帯電話の番号を表示し、相手から当該通話通信端末に発信する場合、当該端末の携帯電話番号に発信するだけで、携帯電話部分とＩＰ電話部分のどちらにも接続できることを特徴とするシステム。
【発明の詳細な説明】
［発明の詳細な説明］
【０００１】［産業上の利用分野］本発明は、通話及びマルチメディア通信システムに関する。
【０００２】［従来の技術］端末の種類は主に、ＩＰ携帯電話機能を有する携帯通話通信端末、それから、ＩＰ携帯電話機能と一般携帯電話機能を同時に備える携帯通話通信端末の２つがある。ＩＰ電話機能を有する携帯通話通信端末は可搬性という利便性があり、無線ＬＡＮ通信速度の速さを生かし、パケット変換により、通話を可能にした。ＩＰ電話機能と携帯電話機能を同時に備える携帯通話通信端末は、更に携帯電話の通話範囲の拡大と高品質をプラスした。
【０００３】端末待機時いつでも受信できるフルパワー・モード（Ａｃｔｉｖｅ  Ｍｏｄｅ）以外に、端末待機時電力制御の方法としては二つの技術がある。一つは、端末が無線ＬＡＮエリア内にいる場合、アクセスポイントが一定時間ごとにビーコンを投げ、端末を通信可能な状態にする方式である（Ｐｏｗｅｒ  Ｓａｖｅ  Ｍｏｄｅ）。もう一つは、端末が無線ＬＡＮエリア外にいる場合、端末は基本的にスリープ状態で一定時間ごとにアクセスポイントがあるかを調べる方式である（Ｓｌｅｅｐ  Ｍｏｄｅ）。
【０００４】同時アクセスできる端末数を多くする技術は、アクセスポイント側で同じ宛先のパケットを一つにまとめて送信し、端末側で待ち時間を短くして早くデータを送信する方法である。
【発明が解決しようとする課題】
【０００５】第一の課題は、ＩＰ電話機能を有する携帯通話通信端末とアクセスポイントの間で電力を制御する仕込みがないか、或いはまだ十分ではないところにある。端末側はいつ着信があるか分からないので、Ａｃｔｉｖｅ  Ｍｏｄｅの場合、エリア内にいる時は常に起きている状態でいつでも受信できるが、消費電力が高いことにより、待ち受け時間が短くなる。そのため、充電不便な場所での長時間使用に不向きなので、携帯電話の可搬性からの利便性が低くなる。構内の内線電話代わりにしか使用されないのが現状である。
【０００６】Ｐｏｗｅｒ  Ｓａｖｅ  Ｍｏｄｅの場合は、端末が無線ＬＡＮエリア内にいる時、電力消費量の低い状態と通信可能なフルパワー状態を繰り返すことで消費電力を抑える。しかし、電力消費量の高いフルパワー状態を頻繁に使うので、効果が不十分である。
【０００７】Ｓｌｅｅｐ  Ｍｏｄｅの場合は、端末が無線ＬＡＮエリア外にいる時に用いられ、端末自身が持つタイマーを使って、無線ＬＡＮエリアに入ったかどうかを調べるので、殆ど電力を消費しないのが基本状態である。そのため、電力を効果的に抑えられるが、アクセスポイント側から意図的に端末を起こすことができないという問題点がある。
【０００８】第二の課題は、ＩＰ電話機能を有する携帯通話通信端末は無線ＬＡＮを利用するが、無線ＬＡＮで使える周波数帯域が狭いため、大量のアクセスポイントを狭いエリアに集中的に配置すると、干渉が生じてしまう。アクセスポイントの設置密度が低いので、同時アクセスできる端末数が少なくなる。そのため、音声品質が変動しやすく、ハンドオーバー時に通話が途切れるという問題点である。パケットの送信方式を改良するなどの方法はあるが、アクセスポイントの設備の規模から、処理能力面では、携帯電話基地の方に比べると明らかに劣るので、根本的な解決にはならない。
【０００９】第三の課題は、ＩＰ携帯電話は一般携帯電話と違い、現状では電話番号を割り当てられないので、一般加入電話や携帯電話から着信できない。従来の携帯電話機能とＩＰ電話機能を一台の携帯通話通信端末に備える端末は、携帯電話通話通信ルートを利用場合は、相手の端末の携帯電話番号にアクセスできるし、お互いの携帯電話番号を表示することもできる。しかし、ＩＰ通話通信ルートを使用する場合は、アクセス先が相手の携帯電話の電話番号でなく、ＩＰ携帯電話のＩＤになり、しかもお互いのＩＤしか表示できない。そのため、相手の電話番号とＩＤについて、それぞれの情報登録が必要になるなど、従来の携帯電話より操作が複雑になり、利便性と認識性に欠けるという欠点がある。
【課題を解決するための手段】
【００１０】上記第一の課題を解決するために、本発明のシステムは、一般携帯電話の機能と無線ＬＡＮを利用するＩＰ電話の機能を一台の携帯通話通信端末に備え、待機中いずれかをアクティブ状態にし、携帯基地かＩＰ電話のアクセスポイント（ＡＰ）と必要な情報交換を行い、残りもう一方をスリープ状態にし、一定の時間が経つと、双方の状態を切り替え、それを繰り返し、時間的に待機電力の消費量の少ない方にアクティブ状態を多めに振り分ける手段を備えることを特徴とする。
【００１１】上記第二の課題を解決するために、本発明のシステムは、一般携帯電話の機能と無線ＬＡＮを利用するＩＰ電話の機能を一台の携帯通話通信端末に備え、両通話通信ルートから優先ルートを設定する機能を設け、発着信時及び通話通信時に、接続待ちという手段を備えることを特徴とする。
【００１２】上記第三の課題を解決するために、本発明のシステムは、一般携帯電話の機能と無線ＬＡＮを利用するＩＰ携帯電話の機能を一台の携帯通話通信端末に備え、使用する通話通信網の種類に関わらず、それから、通話通信相手が持つ発信者番号表示機能のついている端末の種類に関わらず、お互いの端末の携帯電話番号を表示し、しかもお互いの端末の携帯電話番号だけでアクセスできる機能を設けることを特徴とする。
【００１３】［作用］上記電力制御手段を備えることにより、端末待機時、電力消費量の少ない状態を時間的に長く保つことができる。
【００１４】上記通話通信接続待ちという手段を備えることにより、複数のルートの接続が可能な状態になるので、接続がより確実となり、更に、通話音質が劣化したり信号が弱ったりした場合の他ルートへの切り替えがより確実に、且つスムーズになる。従って、通話品質が向上され、ハンドオーバー時に通話が途切れにくくなる。
【００１５】上記複数ルート同時接続を試みるという手段を備えることにより、たとえ待機中の端末のＩＰ携帯電話部分がスリーブ状態中であっても、端末内の一般携帯電話部分がアクティブ状態なので、受信ができるため、一般携帯電話ルートを通じて信号を受信すれば、端末内部で意図的にＩＰ携帯電話部分を起こすことが可能になる。従って、短時間で優先ルートの接続が確実になる。
【００１６】上記携帯電話とＩＰ携帯電話の表示及びアクセス手段を携帯電話の電話番号に統一する機能を設けることにより、従来の一般携帯電話と殆ど変わらない操作方法で、一般携帯電話の機能とＩＰ携帯電話の機能を同時に備える端末を操作することができる。
【００１７】［発明の実施の形態］まず、本発明の実施形態について、図１〜図４を参照して説明する。
【００１８】図１に、本発明の基本構成例を示す。一般携帯電話と無線ＬＡＮを利用するＩＰ携帯電話の受信発信装置及び情報処理装置を一台の可搬性を有する端末に備える。当該端末を一般携帯電話基地局か、若しくは無線ＬＡＮのアクセスポイント（ＡＰ）と接続し、それを介し、通話及び通信を行う。
【００１９】図２に、本発明の端末待機時に於ける消費電力制御の構成例を示す。端末は待機の状態で、両交信ルートの何れかを利用し、受信、発信可能なエリア内にいるかどうかや受信の有無などについて、携帯電話基地局、あるいは、無線ＬＡＮのアクセスポイントと情報の交換を行う。
【００２０】端末と携帯電話基地局との情報交信は、端末と無線ＬＡＮのアクセスポイント（ＡＰ）との情報交信より、消費電力が低いので、端末と携帯電話基地局との情報交信ルートをメイン交信ルートに設定し、端末とＬＡＮのＡＰとの情報交信ルートをサブルートに設定する。
【００２１】両交信ルートを常に片方をアクティブ状態に、もう一方をスリープ状態にし、双方状態の切り替えを制御する。待機消費電力を抑えるため、電力消費量の少ないメイン交信ルートのアクティブ状態を時間的に多めに振り分ける。例えば、メイン：サブを９：１に設定する。
【００２２】携帯電話基地局は当該基地局のカバーするエリア内の無線ＬＡＮのＡＰ情報を登録し、管理をする。無線ＬＡＮのＡＰもどの携帯電話基地局のエリア内にあるかという情報を登録し、管理をする。
【００２３】メイン交信ルート使用時、携帯電話基地局は端末との情報確認により、端末の所在位置を含む情報を得られる。それに基づき、当該端末をカバー可能な複数の無線ＬＡＮのＡＰ、それから、無線ＬＡＮのＡＰと端末の間に於ける通信状態の優位を判断できる。これらの情報を使用中のメイン交信ルートを使い、当該端末に送信する。同時に、端末の各情報を、当該端末をカバー可能な複数のＬＡＮのＡＰに送信する。
【００２４】上記情報の伝達により、時間的に短めなサブ交信をスムーズに確立するのに有効的である。サブ交信時、端末は得た情報に基づき、当該端末をカバー可能な複数の無線ＬＡＮのＡＰに情報確認を行い、複数の無線ＬＡＮのＡＰとの間に於ける通信状態の可能性及び優位を確認する。
【００２５】本発明に於ける端末の発着信、通話及びデータ通信について説明する。まず、携帯電話基地局を使用するルートと無線ＬＡＮを使用するルートの中から、どちらかを優先ルートに設定する機能を設ける。
【００２６】例えば、無線ＬＡＮルートを低料金に設定した場合、普段低料金の無線ＬＡＮルートを優先するが、無線ＬＡＮルートの通話通信状態が不安定になった時、非優先な携帯電話基地局ルートに自動的に切り替える自動モードを設ける。それから、ユーザーが自ら、使い道により、高速移動中や障害物の多い地域で通話通信品質を保ちたい場合は、携帯電話基地局ルートを優先ルートに、データーダウンロードなど通信速度を重視する場合と利用料金を抑えたい場合は、無線ＬＡＮルートを優先ルートに設定できる手動設定モードを設ける。
【００２７】図３に、無線ＬＡＮルートを優先ルートに設定した場合の上記と同種類の端末間に於ける発信及び受信する時の仕組みの構成例を示す。端末間の確実な接続を確保するために、端末間に発着信する時に、優先と非優先ルートが利用可能な状態であれば、優先ルートだけでなく、非優先ルートも同時に利用し、端末間の接続を試みる。
【００２８】優先ルートの接続が先に成立した場合、優先順位の高い順から優先ルートの接続を実行し、通話及び通信を行う。非優先ルートの接続が先に成立した場合、その接続を実行せず、接続待ちという状態で保持する。一定の時間以内に、優先ルートの接続成立を待ち、もし優先ルートの接続が時間内に成立すれば、優先ルートの接続を実行する。もし時間内優先ルートの接続が成立できなければ、接続成立した非優先ルートの待ち状態を解除し、非優先ルートの接続を実行する。
【００２９】図４に、無線ＬＡＮルートを優先ルートに設定した場合の上記と同種類の端末間に於ける通話中及び通信中の仕組みの構成例を示す。端末間の通話及び通信品質を高め、ハンドオーバーした時に、通話が途切れる現象を軽減するために、利用中のルート以外に、複数の他ルートの接続待ち状態を作る。
【００３０】例えば、優先ルートの接続が成立し、接続を実行した場合、利用中のルート以外に、複数の優先ルート及び非優先ルートの接続を試み、その内、幾つか接続の成立ルートの接続を待ち状態に保つ。
【００３１】利用中のルートの接続状態が悪くなった場合、例えば、利用中のＬＡＮのＡＰへのアクセス数が増えたことにより、データ通信速度が落ちたり、端末の移動により、接続の状態が不安定になったりした場合、通話及び通信が中断する状態になる前に、待ち状態中のルートを優先順位の高い順から解除し、接続を実行し、新たな接続ルートへの利用に切り替える。
【００３２】同じ種類の端末間に於けるアクセス機能について説明する。表示の認識性向上、それから、アクセス方法の操作利便性向上のため、端末に同一端末の携帯電話番号と携帯ＩＰ電話のＩＤを自動認識する機能、発信時携帯電話番号のみで携帯電話ルートと無線ＬＡＮルートを同時使用する機能、それから、受信時発信側端末のＩＤ情報の入っているパケット情報を当該発信端末の携帯電話情報に変換する情報管理機能を設ける。
【００３３】相手の携帯電話番号にダイヤル操作をし、若しくは、相手の携帯電話のメールアドレスにアクセスするだけで、発信側の端末が携帯電話基地局を利用するルートだけでなく、同時に自動的に無線ＬＡＮを利用するルートを通じ、相手の端末への接続を試み、優先順から接続を実行する。
【００３４】受信側の端末への接続が可能になったら、接続実行か接続待ちの状態を問わずに、携帯電話ルートなら、携帯電話番号情報を、無線ＬＡＮルートなら、ＩＰ携帯電話のＩＤ情報を受信側の端末に送信する。
【００３５】受信側の端末が携帯電話番号情報を受信した場合、従来通り発信側端末の携帯電話番号を表示する。発信側端末のＩＤ情報を受信したが、携帯電話番号情報を受信できなかったり、受信が遅れたりした場合、端末のパケット情報変換機能により、発信側端末のＩＰ携帯電話のＩＤ情報を変換し、発信側端末の携帯電話番号を認識できる情報に変え、受信側端末の表示パネルに発信側端末の携帯電話番号を表示する。
【００３６】当該端末がＩＰ機能を有しない端末から受信する場合、或いは、当該端末からＩＰ機能を有しない端末に発信する場合、無線ＬＡＮルートを利用できないため、従来通りのアクセス方法と表示方法で対応できる。
【発明の効果】
【００３７】待機電力制御手段により、電力消費量の少ない状態を時間的に長く保つことができるので、端末待機時の消費電力量を大幅に抑えることができる。充電不便な場所でも、長時間使用が可能になるので、携帯型端末の可搬性という長所をより活かせる。
【００３８】通話通信接続待ちという手段を備えることにより、確立するルートの本数が増えるので、エリア内のアクセスポイントを増やすことなく、確実な接続確立及び安定した通話通信を維持することができる。
【００３９】表示及びアクセス手段を携帯電話の電話番号に統一する機能を設けることにより、従来通り、携帯電話の電話番号で端末の認識及び端末へのアクセスができる。しかも、ＩＰ携帯電話特有な複雑な操作方法を大幅に削減することにより、新たな知識が殆ど必要なく、当該端末を操作することができる。
【図面の簡単な説明】
【図１】本発明の基本構成図である。
【図２】本発明の実施形態に係る端末待機中電量制御仕組み図である。
【図３】本発明の実施形態に係る端末通話通信ルートの優先順位設定仕組み図である。
【図４】本発明の実施形態に係る端末通話通信中各ルートの状態図である。
【図１】
2007221736.tif 000003
【図２】
2007221736.tif 000004
【図３】
2007221736.tif 000005
【図４】
2007221736.tif 000006